(57)【要約】【課題】床掃除およびアタッチメントを使用する手元掃除の両方を行なうことができるアップライト型の電気掃除機であって、通常使用時の流路とアタッチメント使用時の流路とを切り替えるための切替機構が不要であり、構造が簡単な電気掃除機を提供する。【解決手段】掃除機本体と、該掃除機本体に連結され、下面に開口する吸込口を有する吸込具本体と、前記掃除機本体に連結されたダストボックスと、前記掃除機本体を操作するためのグリップ部とを備えた電気掃除機。前記吸込具本体、前記掃除機本体の内部、前記グリップ部および前記ダストボックスが、この順に空気の流通ができるように直接接続され、かつ、前記掃除機本体の内部と前記グリップ部とが着脱自在に連結されている。【選択図】        図４
2004254940.tif 000002
【特許請求の範囲】
【請求項１】
掃除機本体と、該掃除機本体に連結され、下面に開口する吸込口を有する吸込具本体と、前記掃除機本体に連結されたダストボックスと、前記掃除機本体を操作するためのグリップ部とを備えた電気掃除機であって、
前記吸込具本体、前記掃除機本体の内部、前記グリップ部および前記ダストボックスが、この順に空気の流通ができるように直接接続され、かつ、
前記掃除機本体の内部と前記グリップ部とが着脱自在に連結されてなる電気掃除機。
【請求項２】
前記掃除機本体の内部と前記グリップ部とのあいだの流路の接続部分にパッキンが設けられてなる請求項１記載の電気掃除機。
【請求項３】
前記吸込具本体と前記掃除機本体の内部とのあいだが接続ホースを介して接続され、該接続ホースが前記吸込具本体に対して着脱自在に連結されてなる請求項１記載の電気掃除機。
【請求項４】
前記接続ホースの少なくとも一部が伸縮性を有し、かつ、前記接続ホースの一部が、前記掃除機本体の内部に収納されてなる請求項３記載の電気掃除機。
【発明の詳細な説明】
【０００１】
【発明の属する技術分野】
本発明は電気掃除機に関する。さらに詳しくは、床掃除およびアタッチメントを使用する手元掃除の両方を行なうことができるアップライト型の電気掃除機であって、通常使用時の流路とアタッチメント使用時の流路とを切り替えるための切替機構が不要であり、構造が簡単な電気掃除機に関する。
【０００２】
【従来の技術】
従来より、床掃除だけでなく床以外の壁などの場所も掃除できるアップライト型電気掃除機が提案されている。このようなアップライト型電気掃除機では、２つの流路、すなわち、吸込具本体から掃除機本体の集塵室へいたる本体側流路、および集塵室へいたる手元掃除用流路が設けられている（特許文献１参照）。手元掃除用流路を構成する可撓性ホースは、掃除機本体上部に着脱自在に連結されたグリップ部に連通している。そして、手元掃除を行なう場合には、グリップ部を掃除機本体から取り外して、手元掃除用のアタッチメントとして使用することができる。
【０００３】
【特許文献１】
特開２００２−２３３４８２号公報
【０００４】
【発明が解決しようとする課題】
しかし、このような２つの流路を有する掃除機の場合、吸込効率が低下しやすいので、使用していない流路を選択的に閉塞するための流路切替機構を設ける必要があり、構造が複雑である。たとえば、前記特許文献１記載の電気掃除機では、掃除機本体を傾斜させて床掃除を行なう状態では手元掃除用流路を閉塞し、かつ掃除機本体を起立させた状態では手元掃除用流路を開放する手元掃除用流路開閉手段が設けられており、構造が複雑になっている。
【０００５】
本発明はかかる問題を解消するためになされたものであり、床掃除およびアタッチメントを使用する手元掃除の両方を行なうことができるアップライト型の電気掃除機であって、通常使用時の流路とアタッチメント使用時の流路とを切り替えるための切替機構が不要であり、構造が簡単な電気掃除機を提供することを目的とする。
【０００６】
【課題を解決するための手段】
本発明の電気掃除機は、掃除機本体と、該掃除機本体に連結され、下面に開口する吸込口を有する吸込具本体と、前記掃除機本体に連結されたダストボックスと、前記掃除機本体を操作するためのグリップ部とを備えた電気掃除機であって、
前記吸込具本体、前記掃除機本体の内部、前記グリップ部および前記ダストボックスが、この順に空気の流通ができるように直接接続され、かつ、
前記掃除機本体の内部と前記グリップ部とが着脱自在に連結されてなることを特徴とする。
【０００７】
前記掃除機本体の内部と前記グリップ部とのあいだの流路の接続部分にパッキンが設けられてなるのが好ましい。
【０００８】
前記吸込具本体と前記掃除機本体の内部とのあいだが接続ホースを介して接続され、該接続ホースが前記吸込具本体に対して着脱自在に連結されてなるのが好ましい。
【０００９】
前記接続ホースの少なくとも一部が伸縮性を有し、かつ、前記接続ホースの一部が、前記掃除機本体の内部に収納されてなるのが好ましい。
【００１０】
【発明の実施の形態】
つぎに図面を参照しながら本発明の電気掃除機を詳細に説明する。図１は本発明の電気掃除機の一実施の形態を示す斜視説明図、図２は図１の電気掃除機の左側面図、図３は図１の電気掃除機の後方から見た斜視図、図４は図１の電気掃除機の右側面図、図５は図１の掃除機本体の後方内部の要部拡大断面図、図６は図１の電気掃除機の幅方向に沿った断面を後方から見た図、図７は図１の電気掃除機のアタッチメント使用時の説明図、図８は図１の電気掃除機の接続ホースをアタッチメントとして使用する状態の説明図、図９は図１の掃除機本体の後方内部の水平断面図、図１０は図１の排気カバーを取り付ける途中の状態の斜視説明図、図１１は図１の排気カバーを内側から見た斜視図、図１２は図１の排気カバーのＴ型フックの嵌合部分の断面説明図および図１３は図１の排気カバーの突起の嵌合部分の断面説明図である。
【００１１】
図１〜６に示されるアップライト式の電気掃除機は、吸込具本体１と、掃除機本体２と、グリップ部３と、該グリップ部３に固着された先端側パイプ４と、可撓性ホース５と、回動管６とから構成されている。先端側パイプ４の先端部は、掃除機本体２の筒状の先端側パイプ支持部７に挿入されて着脱自在に支持されている。
【００１２】
吸込具本体１は、下面に吸気口を有し、吸気口内部に回転ブラシ（図示せず）を備えている。吸込具本体１は、接続ホース１１を介して掃除機本体２の後部１２に連通している。
【００１３】
掃除機本体２には、電動送風機１０が内蔵され、該掃除機本体２の上部にはダストボックス８が設置されている。掃除機本体２の下部には、吸込具本体１が、前記掃除機本体２に設けられた支点（図示せず）により前後方向に回動自在に設置されている。
【００１４】
グリップ部３は、中空筒体からなり、上端には取っ手９が形成されている。このグリップ部３を介して先端側パイプ４および可撓性ホース５が連結されている。また、グリップ部３は、前記先端側パイプ支持部７に対して、着脱自在に連結されており、またグリップ部３の後方側に配設される可撓性ホース５を介して前記掃除機本体２の前面側上部にあるダストボックス８に接続されている。
【００１５】
グリップ部３が先端側パイプ支持部７に連結されている状態では、掃除機本体１の後部１２内部において、先端側パイプ４は接続ホース１１に連結されているため、グリップ部３は、これら先端側パイプ４および接続ホース１１を介して吸込具本体１に連通している。
【００１６】
さらに、本実施の形態では、図５〜６に示されるように、掃除機本体の後部１２内部には、後部１２とグリップ部３とのあいだの気密性を保つためにパッキン１３が設けられている。パッキン１３の下部には、接続ホース１１が当該接続ホース１１の蛇腹状の凹凸を利用してねじ込むなどして接続されている。パッキン１３の内周面は、グリップ部３の先端側パイプ４の外周面に当接するよう半径方向内側に突出しており、前記先端側パイプ４を気密的に保持することができる。また、パッキン１３の上方には、先端側パイプ４をパッキン１３の中心に案内するためのガイド部材１４が設けられている。
【００１７】
以上のように構成された本発明のアップライト型電気掃除機は、吸込具本体１、掃除機本体２の後部１２、グリップ部３、およびダストボックス８が、この順に空気の流通ができるように直接接続され、かつ、掃除機本体２の後部１２とグリップ部３とが着脱自在に連結されている。そのため、１つの連続する流路を利用して、吸込具本体１を用いた通常使用（床掃除）およびグリップ部３によるアタッチメント使用の両方を行なうことができるため、流路切替機構が不要であり、構造が簡単になる。
【００１８】
たとえば、床掃除を行なう通常使用時では、図４〜６に示されるように、吸込具本体１から吸い込んだごみは、接続ホース１１、先端側パイプ４、グリップ部３、および可撓性ホース５の順に通ったのち、ダストボックス８内に集塵される。
【００１９】
また、図７に示されるように、グリップ部３の先端側パイプ４を掃除機本体２の先端パイプ支持部７から抜き出せば、グリップ部３をアタッチメントとして使用することができ、天井や壁などの高い所を掃除することができる。
【００２０】
さらに、本実施の形態では、図４、および図６〜８に示されるように、吸込具本体１と掃除機本体の後部１２とのあいだが接続ホース１１を介して接続され、接続ホース１１が吸込具本体１に対して着脱自在に連結されている。具体的には、接続ホース１１端部のアダプタ１１ａが吸込具本体１のエアインレット１ａに着脱自在に差し込まれている。したがって、図４の通常使用の状態から接続ホース１１を吸込具本体１から抜いて図８の状態にすれば、アタッチメントとして接続ホース１１を用いることができ、低い位置にある細かい箇所、たとえば、敷居や、壁と床との隅などの掃除が容易になる。すなわち、本実施の形態では、このように接続ホース１１もアタッチメントとして使用できるため、掃除の態様が大幅に拡大される。
【００２１】
なお、図７に示されるグリップ部３および図８に示される接続ホース１１のいずれを使用する場合も、それらの先端に、通常用いられいる延長パイプ１５や隙間パイプ１６（図２参照）、または家具ブラシ１７（図３参照）を装着して使用することが可能である。
【００２２】
さらに、本実施の形態では、接続ホース１１の少なくとも一部が伸縮性を有し、かつ、接続ホース１１の一部が、掃除機本体１の後部１２に収納されている。したがって、図４および図６に示されるように、通常使用時では、接続ホース１１は、吸込具本体１との接続に必要な長さ分だけ伸び、余った部分は掃除機本体１の後部１２に縮んだ状態で収納されるため、見栄えがよくなる。一方、図８に示されるように、接続ホース１１をアタッチメントとして使用するときには、接続ホース１１を掃除機本体１の後部１２から引き出せば、ホースの首振り自由度が向上する。そのため、接続ホース１１を用いた広範囲の清掃が可能になる。
【００２３】
なお、接続ホース１１は、後部１２に収納され得るように少なくとも一部が伸縮性を有していればよいが、接続ホース１１の全体が伸縮性を有していてもよい。
【００２４】
以上のように、本実施の形態では、接続ホース１１を介して、吸込具本体１と掃除機本体の後部１２とのあいだが接続されているが、本発明はこれに限定されるものではなく、吸込具本体１と掃除機本体の後部１２とのあいだを直接接続してもよい。
【００２５】
さらに、本実施の形態の電気掃除機では、図３、図６および図９に示されるように、ダストボックス８を被う掃除機本体２の後部１２の両側にアタッチメント保持部１８、およびスイッチなどの電装部品を内蔵したスイッチボックス１９が装着されている。
【００２６】
図９に示されるように、アタッチメント保持部１８は、前述した延長パイプ１５および隙間パイプ１６を挿入して保持するために、垂直方向に延びる貫通孔１８ａおよび１８ｂを有している。スイッチボックス１９には、メインスイッチ２０、パワーコントロールスイッチ２１、およびヒューズその他の電装部品が内蔵されている。また、スイッチボックス１９の外周面には、電源コードを掛けて収納するためのコードフック２３が一体形成されている。
【００２７】
円筒形のダストボックス８の背面側には、掃除機本体２の半円孤状を呈するケース２２が配設されている。ケース２２は、掃除機本体２のスリム化および軽量化のために、合成樹脂などからなる１枚の薄板で形成されており、強度が弱い。しかし、本実施の形態では、半円孤状を呈するケース２２の上部の両側にアタッチメント保持部１８およびスイッチボックス１９が固定されており、これらのアタッチメント保持部１８およびスイッチボックス１９がケース２２の補強を兼ねることができるため、ケース２２自体を薄く作製することができ、掃除機本体２のスリム化および軽量化を達成することができる。
【００２８】
また、スイッチボックス１９内に内蔵されている、メインスイッチ２０、パワーコントロールスイッチ２１、ヒューズ、電源コードの固定部などの電装部品は、スイッチボックス１９を取り外すだけで容易に交換することができる。たとえば、スイッチボックス１９を掃除機本体２に固定するための１本のネジとスイッチボックス下面のスイッチカバーの固定ネジを２本外すことにより、これらの電装部品を容易に交換することができる。
【００２９】
さらに、アタッチメント保持部１８およびスイッチボックス１９のそれぞれの後部には、突起２４および２５が設けられているため、これらの突起２４および２５を用いて前述した可撓性ホース５を保持することができる。
【００３０】
また、図１０〜１１に示されるように、掃除機本体２の前面に装着される排気カバー２６は、使用時に排気風によって排気カバー２６の幅方向について外方へ広がろうとするが、排気カバー２６両側のＴ型フック２７などの係合部の先端は固定されているため、当該Ｔ型フック２７はその風圧および排気風の熱により内方へ変形する。そして、電源を切ると風圧はなくなるが、Ｔ型フック２７の変形は残るため、Ｔ型フック２７は掃除機本体２側のＴ型凹部２９から外れやすくなるおそれがある。
【００３１】
そこで、本実施の形態の電気掃除機では、そのような排気カバーの脱落を防止するために、図１０〜１３に示されるように、排気カバー２６を着脱するためのＴ型フック２７の両側近傍に一対の突起２８が設けられている。一方、掃除機本体２には、Ｔ型フック２７に嵌合するＴ型凹部２９の両側近傍に前記一対の突起２８に嵌合するための一対の凹部３０が形成されている。
【００３２】
したがって、図１０に示されるように、排気カバー２６を掃除機本体２の前方から嵌め込み、Ｔ型フック２７をＴ型凹部２９に係合させれば（図１２参照）、Ｔ型フック２７両側の突起２８は掃除機本体側の凹部３０にそれぞれ嵌合することができる（図１３参照）。したがって、使用時に排気風の風圧により排気カバー２６の両側面が外方へ広がる方向へ圧力を受けても、Ｔ型フック２７の両側の突起２８が凹部３０に嵌合しているため、排気カバー２６の両側面が外方へ変形することを防止し、それとともにＴ型フック２７の内方への変形を防止する。その結果、前述した排気カバー２６の脱落を防止することができる。しかも、突起２８および凹部３０による係合構造は簡単であり、安価に作製することができる。
【００３３】
【発明の効果】
本発明によれば、１つの連続する流路を利用して、吸込具本体を用いた通常使用（床掃除）およびグリップ部によるアタッチメント使用の両方を行なうことができるため、流路切替機構が不要であり、構造が簡単になる。
【図面の簡単な説明】
【図１】本発明の電気掃除機の一実施の形態を示す斜視説明図である。
【図２】図１の電気掃除機の左側面図である。
【図３】図１の電気掃除機の後方から見た斜視図である。
【図４】図１の電気掃除機の右側面図である。
【図５】図１の掃除機本体の後方内部の要部拡大断面図である。
【図６】図１の電気掃除機の幅方向に沿った断面を後方から見た図である。
【図７】図１の電気掃除機のアタッチメント使用時の説明図である。
【図８】図１の電気掃除機の接続ホースをアタッチメントとして使用する状態の説明図である。
【図９】図１の掃除機本体の後方内部の水平断面図である。
【図１０】図１の排気カバーを取り付ける途中の状態の斜視説明図である。
【図１１】図１の排気カバーを内側から見た斜視図である。
【図１２】図１の排気カバーのＴ型フックの嵌合部分の断面説明図である。
【図１３】図１の排気カバーの突起の嵌合部分の断面説明図である。
【符号の説明】
１  吸込具本体
２  掃除機本体
３  グリップ部
４  先端側パイプ
５  可撓性ホース
８  ダストボックス
【図１】
2004254940.tif 000003
【図２】
2004254940.tif 000004
【図３】
2004254940.tif 000005
【図４】
2004254940.tif 000006
【図５】
2004254940.tif 000007
【図６】
2004254940.tif 000008
【図７】
2004254940.tif 000009
【図８】
2004254940.tif 000010
【図９】
2004254940.tif 000011
【図１０】
2004254940.tif 000012
【図１１】
2004254940.tif 000013
【図１２】
2004254940.tif 000014
【図１３】
2004254940.tif 000015